(57)【要約】【課題】画像形成装置において、定着ヒータの廃熱を給紙装置の除湿用加熱または、原稿読取装置の結露防止用加熱に有効利用することにより、除湿ヒータまたは結露防止ヒータの消費電力を低減する。【解決手段】ヒートパイプ２０１の吸熱部を定着ユニット１１１側に、ヒートパイプ２０１の放熱部を給紙ユニット１１０側にそれぞれ配置する。ヒートパイプの放熱側（給紙ユニット内）に蓄熱部材２０４を設け、定着ヒータ側から輸送した熱を貯えつつ給紙装置内に徐々に放熱する構造とする。ヒートパイプの吸熱部に金属製のフィン２０２を設ける。また排風ファン２０３を設け、定着ユニットの定着ヒータと、この排風ファンの中間に上記フィンを配置し、定着ユニットからの放熱をヒートパイプに伝達する構成とする。定着ユニットから上記吸熱部を通って排風ファンに至るダクトを配備すれば、熱交換効率を更に高めることができる。【選択図】　　　　図２
2004061580.tif 000002
【特許請求の範囲】
【請求項１】
未定着トナーを加熱して記録紙に定着させる定着装置と、記録紙を貯え画像形成時に給紙動作を行う給紙装置とを備えた画像形成装置において、熱輸送手段の吸熱部を定着装置の定着ヒータ側に、熱輸送手段の放熱部を給紙装置側にそれぞれ配置し、定着装置で発生する熱を熱輸送手段の吸熱部で吸熱し、この熱を熱輸送手段の放熱部を介して給紙装置に輸送することを特徴とする画像形成装置。
【請求項２】
熱輸送手段の吸熱部に、熱交換効率向上用の金属製フィンを設けたことを特徴とする請求項１に記載の画像形成装置。
【請求項３】
熱輸送手段の吸熱部を、定着ヒータの熱を機外に排出する排風ファンと定着ヒータとの間に設けたことを特徴とする請求項１または２に記載の画像形成装置。
【請求項４】
熱輸送手段の放熱部に蓄熱部材を設け、熱輸送手段からの放熱を蓄熱部材に蓄熱することを特徴とする請求項１〜３のいずれかに記載の画像形成装置。
【請求項５】
未定着トナーを加熱して記録紙に定着させる定着装置と、原稿の画像情報を光学的に読み取る原稿読取装置とを備えた画像形成装置において、熱輸送手段の吸熱部を定着装置の定着ヒータ側に、熱輸送手段の放熱部を原稿読取装置側にそれぞれ配置し、定着装置で発生する熱を熱輸送手段の吸熱部で吸熱し、この熱を熱輸送手段の放熱部を介して原稿読取装置に輸送することを特徴とする画像形成装置。
【請求項６】
熱輸送手段の吸熱部に、熱交換効率向上用の金属製フィンを設けたことを特徴とする請求項５に記載の画像形成装置。
【請求項７】
熱輸送手段の吸熱部を、定着ヒータの熱を機外に排出する排風ファンと定着ヒータとの間に設けたことを特徴とする請求項５または６に記載の画像形成装置。
【請求項８】
熱輸送手段の放熱部に蓄熱部材を設け、熱輸送手段からの放熱を蓄熱部材に蓄熱することを特徴とする請求項５〜７のいずれかに記載の画像形成装置。
【請求項９】
未定着トナーを加熱して記録紙に定着させる定着装置と、記録紙を貯え画像形成時に給紙動作を行う給紙装置と、記録紙を加熱乾燥させる除湿ヒータとを備え、かつ、定着装置で発生する熱を給紙装置に搬送する熱輸送手段を有する画像形成装置であって、定着装置の加熱動作が終了してから所定時間が経過した時点で、除湿ヒータの駆動を開始する制御装置を設けたことを特徴とする画像形成装置。
【請求項１０】
制御装置は、定着装置の加熱動作時間を計時し、これをもとに、除湿ヒータ駆動開始までの時間を決定することを特徴とする請求項９に記載の画像形成装置。
【請求項１１】
制御装置は、電源投入時に定着装置の加熱動作を開始するとともに、該加熱動作が開始されてから定着装置が規定温度に達するまでの時間を計時し、これをもとに、定着装置の加熱動が作終了してから除湿ヒータ駆動開始までの時間を決定することを特徴とする請求項９または１０に記載の画像形成装置。
【請求項１２】
未定着トナーを加熱して記録紙に定着させる定着装置と、原稿の画像情報を光学的に読み取る原稿読取装置と、該原稿読取装置を構成する光学系の結露を防止する結露防止ヒータとを備え、かつ、定着装置で発生する熱を原稿読取装置に輸送する熱輸送手段を有する画像形成装置であって、定着装置の加熱動作が終了してから所定時間経過した時点で、結露防止ヒータの駆動を開始する制御装置を設けたことを特徴とする画像形成装置。
【請求項１３】
制御装置は、定着装置の加熱動作時間を計時し、これをもとに、結露防止ヒータ駆動開始までの時間を決定することを特徴とする請求項１２に記載の画像形成装置。
【請求項１４】
制御装置は、電源投入時に定着装置の加熱動作を開始するとともに、該加熱動作が開始されてから定着装置が規定温度に達するまでの時間を計時し、これをもとに、定着装置の加熱動作が終了してから結露防止ヒータ駆動開始までの時間を決定することを特徴とする請求項１２または１３に記載の画像形成装置。
【発明の詳細な説明】
【０００１】
【発明の属する技術分野】
本発明は画像形成装置に関し、詳しくは、未定着トナーの定着装置と給紙装置とを備えた電子写真方式の画像形成装置における除湿構造および結露防止構造に関するものである。
【０００２】
【従来の技術】
複写機、ファクシミリ、プリンタ、これらの複合機など、電子写真方式の画像形成装置では、原稿画像を原稿読取装置で読み取り、この読取画像を書込み装置で像担持体上に潜像として書き込み、該潜像を現像装置でトナー像に現像する。
そして、給紙装置から搬送される記録紙（転写紙）にこのトナー像を転写装置で転写し、さらにこの転写画像（未定着状態のトナー像）を定着装置で定着するように構成されている。
【０００３】
【発明が解決しようとする課題】
ところで、画像形成装置が高湿度環境に長時間放置された場合、給紙装置内の記録紙が吸湿する結果、記録紙の搬送不良や、この搬送不良に起因する画像不良等の品質低下を招く。また、画像形成装置の設置環境、すなわち雰囲気が常温から低温に変化すると結露が生じ、これが、特に原稿読取装置における画像不良発生の原因となる。
【０００４】
従来の画像形成装置では、上記不具合を回避するための対策として給紙装置に除湿ヒータ、原稿読取装置に結露防止ヒータをそれぞれ配備し、電源オフ時または定着ヒータ（上記定着装置を構成するヒータ）のオフ時に、上記除湿ヒータまたは上記結露防止ヒータを作動させることで、給紙装置内の湿度上昇や、原稿読取装置における結露発生を防止している。
【０００５】
しかしながら、上記構造では画像形成装置の電源オフ時においても継続的に電力を消費してしまい、省エネルギーの観点から好ましくない。
【０００６】
本発明はこの点に鑑みなされたもので、その目的は、定着ヒータの廃熱を給紙装置の除湿用加熱または、原稿読取装置の結露防止用加熱に有効利用することにより、除湿ヒータまたは結露防止ヒータの消費電力を低減することにある。
【０００７】
【課題を解決するための手段】
請求項１に係る発明は、未定着トナーを加熱して記録紙に定着させる定着装置と、記録紙を貯え画像形成時に給紙動作を行う給紙装置とを備えた画像形成装置において、熱輸送手段の吸熱部を定着装置の定着ヒータ側に、熱輸送手段の放熱部を給紙装置側にそれぞれ配置し、定着装置で発生する熱を熱輸送手段の吸熱部で吸熱し、この熱を熱輸送手段の放熱部を介して給紙装置に輸送することを特徴とする画像形成装置である。
【０００８】
請求項２に係る発明は、熱輸送手段の吸熱部に、金属板または金属棒からなる熱交換効率向上用のフィンを設けたことを特徴とする請求項１に記載の画像形成装置である。
【０００９】
請求項３に係る発明は、熱輸送手段の吸熱部を、定着ヒータの熱を機外（当該画像形成装置外）に排出する排風ファンと定着ヒータとの間に設けたことを特徴とする請求項１または２の画像形成装置である。
【００１０】
請求項４に係る発明は、熱輸送手段の放熱部に蓄熱部材を設け、熱輸送手段からの放熱を蓄熱部材に蓄熱することを特徴とする請求項１〜３のいずれかに記載の画像形成装置である。
【００１１】
請求項５に係る発明は、未定着トナーを加熱して記録紙に定着させる定着装置と、原稿の画像情報を光学的に読み取る原稿読取装置とを備えた画像形成装置において、熱輸送手段の吸熱部を定着装置の定着ヒータ側に、熱輸送手段の放熱部を原稿読取装置側にそれぞれ配置し、定着装置で発生する熱を熱輸送手段の吸熱部で吸熱し、この熱を熱輸送手段の放熱部を介して原稿読取装置に輸送することを特徴とする画像形成装置である。
【００１２】
請求項６に係る発明は、熱輸送手段の吸熱部に、金属板または金属棒からなる熱交換効率向上用のフィンを設けたことを特徴とする請求項５に記載の画像形成装置である。
【００１３】
請求項７に係る発明は、熱輸送手段の吸熱部を、定着ヒータの熱を機外に排出する排風ファンと定着ヒータとの間に設けたことを特徴とする請求項５または６に記載の画像形成装置である。
【００１４】
請求項８に係る発明は、熱輸送手段の放熱部に蓄熱部材を設け、熱輸送手段からの放熱を蓄熱部材に蓄熱することを特徴とする請求項５〜７のいずれかに記載の画像形成装置である。
【００１５】
請求項９に係る発明は、未定着トナーを加熱して記録紙に定着させる定着装置と、記録紙を貯え画像形成時に給紙動作を行う給紙装置と、記録紙を加熱乾燥させる除湿ヒータとを備え、かつ、定着装置で発生する熱を給紙装置に搬送する熱輸送手段を有する画像形成装置であって、定着装置の加熱動作が終了してから所定時間が経過した時点で、除湿ヒータの駆動を開始する制御装置を設けたことを特徴とする画像形成装置である。
【００１６】
請求項１０に係る発明は制御装置が、定着装置の加熱動作時間を計時し、これをもとに、除湿ヒータ駆動開始までの時間を決定することを特徴とする請求項９に記載の画像形成装置である。
【００１７】
請求項１１に係る発明は制御装置が、電源投入時に定着装置の加熱動作を開始するとともに、該加熱動作が開始されてから定着装置が規定温度に達するまでの時間を計時し、これをもとに、定着装置の加熱動が作終了してから除湿ヒータ駆動開始までの時間を決定することを特徴とする請求項９または１０に記載の画像形成装置である。
【００１８】
請求項１２に係る発明は、未定着トナーを加熱して記録紙に定着させる定着装置と、原稿の画像情報を光学的に読み取る原稿読取装置と、該原稿読取装置を構成する光学系の結露を防止する結露防止ヒータとを備え、かつ、定着装置で発生する熱を原稿読取装置に輸送する熱輸送手段を有する画像形成装置であって、定着装置の加熱動作が終了してから所定時間経過した時点で、結露防止ヒータの駆動を開始する制御装置を設けたことを特徴とする画像形成装置である。
【００１９】
請求項１３に係る発明は制御装置が、定着装置の加熱動作時間を計時し、これをもとに、結露防止ヒータ駆動開始までの時間を決定することを特徴とする請求項１２に記載の画像形成装置である。
【００２０】
請求項１４に係る発明は制御装置が、電源投入時に定着装置の加熱動作を開始するとともに、該加熱動作が開始されてから定着装置が規定温度に達するまでの時間を計時し、これをもとに、定着装置の加熱動作が終了してから結露防止ヒータ駆動開始までの時間を決定することを特徴とする請求項１２または１３に記載の画像形成装置である。
【００２１】
【発明の実施の形態】
以下、本発明の実施の形態を、図面をもとに説明する。
第１の実施の形態（請求項１〜４）
図１はデジタル複写機のシステム構成を示すブロック図、図２はこれに配備された給紙装置の除湿を行うための除湿構造を示す概略斜視図である。
【００２２】
このデジタル複写機は、エンジン制御ユニット１０１、スキャナユニット（原稿読取装置）１０２、画像処理ユニット１０３、書込みユニット１０４、各種のセンサ類１０５、シーケンス機器群１０６、操作パネル１０７、画像メモリ１０８および電源管理ユニット１０９を備えている。
【００２３】
以上の構成において、エンジン制御ユニット１０１からコピー指示がなされると、スキャナユニット１０２が原稿を読み取り、画像処理ユニット１０３に画像データを転送する。画像処理ユニット１０３では画質調整・変倍等を行い、書込みユニット１０４に処理後のデータを送る。書込みユニット１０４は、受け取ったデータに従ってレーザ素子を駆動し、感光体（図略）上に光書込みを行う。これらの動作は、各種センサ類１０５の入力をもとにエンジン制御ユニット１０１によって制御される。
【００２４】
給紙ユニット（給紙装置：図略）からの記録紙の給紙、感光体（図略）の駆動、および定着ユニット（定着装置：図略）の加熱・回転等の動作を制御するシーケンス機器群１０６も同様に、エンジン制御ユニット１０１に制御されて記録紙に画像を形成する。また、操作者の指示は操作パネル１０７によってなされ、エンジン制御ユニット１０１に伝えられる。
【００２５】
コピー動作時の各機器の動きは上記のようになっているが、動作停止時（電源オフ時）には、給紙装置１１０にセットされた記録紙が吸湿するのを防ぐために、この給紙装置を加熱しておく場合がある。または、動作停止時に機器が低温になり、次の動作時に原稿読取装置１０２の光学系に結露が生じるのを防ぐために、電源オフ時にこの読取り光学系を加熱しておく場合がある。
【００２６】
図２では、熱輸送手段であるヒートパイプ２０１を、定着ユニット１１１と給紙ユニット１１０をつなぐ形態で設ける。すなわち、ヒートパイプの吸熱部を定着ユニット側に、ヒートパイプの放熱部を給紙ユニット側に、それぞれ配置する。ヒートパイプ２０１では、中空金属パイプの内面に長手さ方向に溝切り加工を施すか、または、中空金属パイプ内面にメッシュシートを張り付け、真空状態にしたのち少量の液体を封入する。このヒートパイプでは、この液体の沸騰と蒸気の移動・凝縮・還流を繰り返すことで熱の移動が行われる。さらに、ヒートパイプの放熱側（給紙ユニット１１０内）に蓄熱部材２０４を設け、定着ヒータ側（図略）から輸送した熱を貯えつつ給紙装置内に徐々に放熱する構造とする。
【００２７】
ヒートパイプの吸熱部に板状の金属製フィン２０２を設けることで、熱交換効率が向上する。また、この画像形成装置を構成する機器内の熱を排出する排風ファン２０３を設けた場合には、定着ユニット１１１の定着ヒータと、この排風ファン２０３の中間に上記吸熱部のフィンを配置し、定着ユニット１１１からの放熱を有効にヒートパイプに伝達できる構成とする。この場合、定着ユニットから上記吸熱部を通って排風ファン２０３に至るダクトを配備すれば、熱交換効率を更に高めることができる。
【００２８】
第２の実施の形態（請求項５〜８）
図３は、図１のデジタル複写機に配備された原稿読取装置内での結露発生を防止するための結露防止構造を示す概略斜視図である。
【００２９】
この結露防止構造ではヒートパイプ２０１を、定着ユニット１１１とスキャナユニット１０２（原稿読取装置）をつなぐ形態で設け、ヒートパイプの吸熱部を定着ユニット側に、ヒートパイプの放熱部をスキャナユニット側にそれぞれ配置する。また、放熱側の蓄熱部材２０５をスキャナユニット１０２内に設置する。その他の構成は図２と同様とする。
【００３０】
定着ヒータ（図略）により定着ユニット１１１内のローラが十分加熱されると、定着ユニット周囲の空気も徐々に加熱され、次第に機器内の他の部品に悪影響を及ぼすようになるため、排風ファン２０３によって機器内の熱気を機外に排出する。この放熱をヒートパイプで吸収し、スキャナユニット１０２に輸送する。このスキャナユニット内では、輸送された熱を蓄熱部材２０５装置に蓄え、定着ユニットの動作オフ時または電源オフ時において、スキャナユニット内を加熱して読取り光学系の結露を防止する。
【００３１】
定着装置では、該装置の加熱や電源がオフになった後も温度がすぐには低下しないため、定着オフ時または電源オフ時でも、しばらくはヒートパイプへの熱の移動が続く。蓄熱部材２０５に保存した熱がなくなると熱源がなくなってしまうため、蓄熱部材２０５での熱の貯蔵終了後は、電熱ヒータ（図略）等によりスキャナユニット内を加熱して読取り光学系の結露を防止する。
【００３２】
第３の実施の形態（請求項９，１２）
図４は、給紙ユニットの記録紙を加熱乾燥させる除湿ヒータと、スキャナユニットを構成する光学系の結露を防止する結露防止ヒータとを備えた画像形成装置における、これら除湿ヒータ、結露防止ヒータの駆動制御方法の一例を示すフローチャートである。
【００３３】
図１に示すエンジン制御ユニット１０１（以下同じ）は、定着装置の制御（加熱動作）が終了した（ステップＳ４０１でＹｅｓ）後に、定着装置の余熱、または蓄熱部材に保存された熱が低下するまでの時間を、あらかじめ設定されたタイマ値によりカウントし（ステップＳ４０２，ステップＳ４０３）、カウント終了後に除湿ヒータまたは結露防止ヒータの駆動を開始する（ステップＳ４０４，ステップＳ４０５）。除湿ヒータ、結露防止ヒータとしては、たとえば電熱ヒータを設ける。
【００３４】
第４の実施の形態（請求項１０，１３）
図５は除湿ヒータ、結露防止ヒータの駆動制御方法の別例を示すフローチャートである。エンジン制御ユニット１０１は、定着装置の加熱動作時間を計時し（ステップＳ５０１でＹｅｓ〜ステップＳ５０２）、この動作時間から蓄熱部材の熱の蓄積量を算出する。定着装置の動作が停止した（ステップＳ５０３でＹｅｓ）後には、算出した熱の蓄積量から蓄熱部材の放熱時間を算出し、これをカウント（ステップＳ５０４，ステップＳ５０５）した後に、除湿ヒータまたは結露防止ヒータの駆動を開始する（ステップＳ５０６，ステップＳ５０７）。
【００３５】
第５の実施の形態（請求項１１，１４）
図６は除湿ヒータ、結露防止ヒータの駆動制御方法の更に別の例を示すフローチャートである。エンジン制御ユニット１０１は、機器電源オン時の定着装置加熱時の立ち上がり時間を計時する（ステップＳ６０１）ことで、機器周辺の温度を設定する（ステップＳ６０２でＹｅｓ〜ステップＳ６０３）。この情報をもとに蓄熱部材からの放熱時間を算出し、これをカウント（ステップＳ６０４，ステップＳ６０５）した後に、除湿ヒータまたは結露防止ヒータの駆動を開始する（ステップＳ６０６，ステップＳ６０７）。
【００３６】
上記第３〜第５の実施の形態によれば、給紙ユニットの除湿性能、またはスキャナユニットの結露防止性能を損なうことなく除湿ヒータまたは結露防止ヒータの動作時間を短くすること、すなわちこれらヒータの消費電力を低減することが可能となる。
【００３７】
なお、上記第１〜第５の実施の形態では、熱の移動をヒートパイプで行うように構成したが、本発明はこれに限定されるものではなく、定着ユニットの熱を給紙ユニットまたはスキャナユニットに輸送するものであれば良く、液体をポンプで還流させることで熱の移動を行うように構成することもできる。
【００３８】
【発明の効果】
以上の説明で明らかなように、本発明によれば以下の効果が得られる。
（１）請求項１の発明による効果
給紙装置（給紙トレイ）の除湿加熱用熱源として定着ヒータからの余剰分の熱（定着部の廃熱）を使用することができ、除湿用電熱ヒータのみを使用する場合と比較してエネルギー使用量の少ない画像形成装置を提供することができる。
【００３９】
（２）請求項２の発明による効果
熱輸送手段の吸熱部に金属製フィンを設けたので、定着ヒータから熱輸送手段への熱伝達効率が向上する。
【００４０】
（３）請求項３の発明による効果
熱輸送手段の吸熱部を定着ヒータと排風ファンとの中間位置に設けたので、定着ヒータから発生する熱を、効率良く熱輸送手段の吸熱部に集中させることができる。
【００４１】
（４）請求項４の発明による効果
熱輸送手段の放熱部に蓄熱部材を設けたので、定着ヒータから輸送した熱を長時間保持することにより、定着部の廃熱を有効に利用することができる。
【００４２】
（５）請求項５の発明による効果
原稿読取装置の結露防止用熱源として定着ヒータの余剰分の熱を使用することができ、結露防止用電熱ヒータのみを使用する場合と比較してエネルギー使用量の少ない画像形成装置を提供することができる。
【００４３】
（６）請求項６の発明による効果
熱輸送手段の吸熱部に金属製フィンを設けたので、定着ヒータから熱輸送手段への熱伝達効率が向上する。
【００４４】
（７）請求項７の発明による効果
熱輸送手段の吸熱部を定着ヒータと排風ファンとの中間位置に設けたので、定着ヒータから発生する熱を効率的に熱輸送手段の吸熱部に集中させることができる。
【００４５】
（８）請求項８の発明による効果
熱輸送手段の放熱部に蓄熱部材を設けたので、定着ヒータから輸送した熱を長時間保持することにより、定着部の廃熱を有効に利用することができる。
【００４６】
（９）請求項９の発明による効果
定着装置の加熱動作終了後、一定時間が経過した時点で除湿ヒータを駆動するようにしたので、エネルギー消費量の少ない画像形成装置を提供することができる。
【００４７】
（１０）請求項１０の発明による効果
定着装置の加熱動作時間を計時し、これをもとに除湿ヒータ駆動開始までの時間を決定するようにしたので、給紙装置の除湿効果と省エネ効果の両立をはかることが可能となる。
【００４８】
（１１）請求項１１の発明による効果
定着装置の加熱動作開始後、定着装置が規定温度に達するまでの時間を計時し、これをもとに、除湿駆動開始までの時間を決定するようにしたので、給紙装置の除湿効果と省エネ効果の両立をはかることが可能となる。
【００４９】
（１２）請求項１２の発明による効果
定着装置の加熱動作終了後、一定時間が経過した時点で結露防止ヒータの駆動を開始するようにしたので、エネルギー消費量の少ない画像形成装置を提供することができる。
【００５０】
（１３）請求項１３の発明による効果
定着装置の加熱動作時間を計時し、これをもとに結露防止ヒータの駆動開始までの時間を決定するようにしたので、原稿読取装置の結露防止効果と省エネ効果の両立をはかることが可能となる。
【００５１】
（１４）請求項１４の発明による効果
定着装置の加熱動作が開始した後、定着装置が規定温度に達するまでの時間を計時し、これをもとに結露防止ヒータの駆動開始までの時間を決定するようにしたので、原稿読取装置の結露防止効果と省エネ効果の両立をはかることが可能となる。
【００５２】
なお、請求項１０，１１に係る発明において、熱輸送手段の放熱部に蓄熱部材を設け、熱輸送手段からの放熱を蓄熱部材に蓄熱するように構成した場合には、蓄熱部材の蓄熱量すなわち、この蓄熱部材の加熱度合いに応じて除湿ヒータの駆動開始までの時間を調整することができる。また、請求項１３，１４に係る発明では、同じく熱輸送手段の放熱部に蓄熱部材を設け、熱輸送手段からの放熱を蓄熱部材に蓄熱するように構成することにより、蓄熱部材の蓄熱量に応じて結露防止ヒータの駆動開始までの時間を調整することができる。
【図面の簡単な説明】
【図１】本発明に係るデジタル複写機のシステム構成を示すブロック図である。
【図２】本発明の第１の実施の形態に係るもので、図１の複写機に配備された給紙装置の除湿を行うための除湿構造を示す概略斜視図である。
【図３】本発明の第２の実施の形態に係るもので、図１の複写機に配備された給紙装置内での結露発生を防止するための結露防止構造を示す概略斜視図である。
【図４】本発明の第３の実施の形態に係る除湿ヒータ、結露防止ヒータの駆動制御方法を示すフローチャートである。
【図５】本発明の第４の実施の形態に係る除湿ヒータ、結露防止ヒータの駆動制御方法を示すフローチャートである。
【図６】本発明の第５の実施の形態に係る除湿ヒータ、結露防止ヒータの駆動制御方法を示すフローチャートである。
【符号の説明】
１０２：スキャナユニット（原稿読取装置）
１１０：給紙ユニット（給紙装置）
１１１：定着ユニット
２０１：ヒートパイプ
２０２：フィン
２０３：排風ファン
２０４：蓄熱部材
２０５：蓄熱部材
【図１】
2004061580.tif 000003
【図２】
2004061580.tif 000004
【図３】
2004061580.tif 000005
【図４】
2004061580.tif 000006
【図５】
2004061580.tif 000007
【図６】
2004061580.tif 000008